(57)【要約】【課題】ポップアップ式の内蔵フラッシュ付き撮像装置において、可動アーム部の強度及び剛性の低下を抑えつつ、省スペース化を実現すること。【解決手段】撮像装置は、フラッシュ発光部１０が装置本体部から突出する発光位置と、装置本体部内に収納される収納位置に移動可能なフラッシュユニット６を備える。フラッシュ発光部１０を覆うホルダ部材１１は、フラッシュ発光部１０の保持部と、回動シャフト１３とをつなぐ一対のアーム部１１ｃを有する。各アーム部１１ｃは発光位置にて外装カバー４との干渉を回避するために切り欠き部１１ｅを有する。各アーム部１１ｃには、ベース部材１２のストッパ受け部１２ｂと当接することで発光位置の位置決めを行うストッパ面部１１ｆが、切り欠き部１１ｅの谷部１１ｅ３に近接して配置されている。【選択図】  図２
2016020985.tif 000002
【特許請求の範囲】
【請求項１】
発光部が装置本体部から突出する発光位置と、装置本体部に収納される収納位置に移動可能な撮像装置であって、
回動軸を保持するベース部材と、前記発光部を覆うホルダ部材とを備え、
前記ホルダ部材は、前記回動軸を中心として回動する可動アーム部を有し、該可動アーム部は前記発光位置において前記装置本体部の外装カバーとの干渉を回避する切り欠き部と、前記ベース部材の一部と当接することで前記発光位置にて前記発光部の位置決めを行うストッパ面部を有しており、
前記ストッパ面部は、前記切り欠き部の谷部に近接して位置することを特徴とする撮像装置。
【請求項２】
前記可動アーム部は、前記発光部を保持する部分と、前記回動軸の軸受け部を有しており、
前記発光位置にて前記可動アーム部の一部は前記外装カバーに覆われ、前記切り欠き部の谷部は、前記発光位置にて外観に露出しない非露出面部と、前記発光位置にて外観に露出する露出面部との間に位置する部分であることを特徴とする請求項１に記載の撮像装置。
【請求項３】
前記可動アーム部は、前記ストッパ面部から前記外装カバーの側に向かって延在する壁面部を有し、該壁面部と前記ストッパ面部により前記切り欠き部を囲んでいることを特徴とする請求項１または２に記載の撮像装置。
【請求項４】
前記ストッパ面部は、前記可動アーム部において前記回動軸の軸受け部が互いに対向する面にそれぞれ設けられており、前記発光位置にて、前記ベース部材から突出したストッパ受け部と当接することにより前記発光部の位置決めを行うことを特徴とする請求項１から３のいずれか１項に記載の撮像装置。
【請求項５】
前記ストッパ面部は、前記可動アーム部にて前記回動軸に平行な方向の幅内に形成されていることを特徴とする請求項１から４のいずれか１項に記載の撮像装置。
【請求項６】
前記収納位置にて閉じ方向への付勢を行い、前記発光位置にて開き方向への付勢を行う弾性部材をさらに備え、
前記弾性部材は、前記回動軸の方向において前記可動アーム部のうち前記ストッパ面部が形成された側とは反対側に取り付けられていることを特徴とする請求項１から５のいずれか１項に記載の撮像装置。
【請求項７】
前記ストッパ受け部の先端部と、前記回動軸の方向における前記可動アーム部の側面に形成した規制面部とは、前記発光部が前記発光位置と前記収納位置とを移動する間、近接していることを特徴とする請求項４に記載の撮像装置。
【請求項８】
前記発光部とコンデンサを繋ぐ第１のリード線と、該第１のリード線とは異なる第２のリード線を備え、
前記ホルダ部材には前記切り欠き部に近接して複数の突起部が形成されており、
前記第１及び第２のリード線は前記複数の突起部に挟持されて前記可動アーム部の側面を引き廻され、前記複数の突起部に対向する方向から見た場合に前記第１のリード線は前記第２のリード線と重なった状態で前記第２のリード線よりも奥側に配置されていることを特徴とする請求項１から７のいずれか１項に記載の撮像装置。
【請求項９】
前記ホルダ部材にて、その断面形状が第１ないし第３の壁面部によりコの字状に形成された部分がカバー部材により閉塞されており、前記カバー部材から離間した前記第３の壁面部に沿って前記第１のリード線が配置されていること特徴とする請求項８に記載の撮像装置。
【請求項１０】
前記第２のリード線は、前記可動アーム部の側面を引き廻される他のリード線に比べて、前記第１のリード線との電位差が小さいことを特徴とする請求項８または９に記載の撮像装置。
【請求項１１】
前記第２のリード線は、トリガーコイルの陽極端子に結線されていることを特徴とする請求項８から１０のいずれか１項に記載の撮像装置。
【発明の詳細な説明】
【技術分野】
【０００１】
本発明は、収納位置と発光位置に亘って移動可能な閃光発光部を備えた撮像装置に関するものである。
【背景技術】
【０００２】
撮影時の露出不足を補うためにフラッシュを内蔵した撮像装置において、発光部を移動可能とし、フラッシュの不使用時に発光部を装置本体部に収納し、使用時に発光部を装置本体部から突出させる、ポップアップ式フラッシュが知られている。この方式は、発光部の収納時におけるデザイン性や携帯性に優れるだけではなく、フラッシュの使用時に撮影光軸から離れた位置に発光部を移動できる。このため、高倍率であって前面側に大きく突出した撮影レンズにおいてもフラッシュ発光のケラレを防ぐことが可能となり、高級カメラ等の撮像装置に多く採用されてきた。特許文献１には、回動軸と発光面とをつなぐ可動アーム部が外装面の一部として形成された構成が開示されている。この構成では、スムーズな回動操作を行うために可動アーム部と装置本体部との間には一定の隙間が必要であるので、見栄えに影響を及ぼす。外観のデザイン性を向上させるために、可動アーム部を外装表面に露出させないように内部に配置した撮像装置が知られている。ただし、可動アーム部を装置内部に収納するためには、ポップアップの際に可動アーム部と、外装表面を形成する部品との干渉を避ける必要がある。可動アーム部の一部を切り欠くことで対処可能であるが、この場合、強度や剛性の低下が懸念される。また特許文献１のように、可動アーム部が外観に露出するタイプに比べて、装置内部に切り欠き部分の空間が必要となるため、スペース効率が低下する可能性がある。
【０００３】
ポップアップの際に発光部を所定の発光位置で停止させるためには、可動アーム部にストッパ部を設ける必要がある。側面から見て可動アーム部の外側に、凸形状のストッパ部を設けることは、装置本体の大型化の原因となる。図１３を参照して従来例を説明する。
図１３はフラッシュユニットの側面図であり、図１３（Ａ）は収納位置を示し、図１３（Ｂ）は発光位置を示す。フラッシュユニット５０は発光部５１を備え、回動軸５２を中心に回動可能である。可動部５３は、発光位置で停止するためのストッパ部５３ａを備える。固定部５４は、発光位置でストッパ部５３ａと当接する受け部５４ａを備える。図１３（Ｂ）の状態では、図１３（Ａ）の収納状態から、回動軸５２を中心に可動部５３が回動している。ストッパ部５３ａは矢印Ａの方向に移動して受け部５４ａに当接し、可動部５３が発光位置で停止する。
【先行技術文献】
【特許文献】
【０００４】
【特許文献１】特許第３７４２５５２号公報
【発明の概要】
【発明が解決しようとする課題】
【０００５】
図１３で説明したように、側面から見て可動アーム部の外側にストッパ部を設けた場合、フラッシュユニットの下に配置されているレンズ鏡筒との干渉を避けるため、ストッパ部の可動範囲に空間を設ける必要がある。よって、撮像装置本体の大型化をもたらす可能性がある。
【０００６】
特許文献１ではポップアップの際に脚部を発光位置で停止させるために、リンク部材を用いてストッパ構造を形成している。これは、部品点数の増加によるコストアップにつながるだけでなく、部品の配置スペースを狭める原因となる。可動アーム部の内側には発光制御用の回路基板等の部品を配置することが多い。このため、リンク部材を配置する必要性から、配置スペースが減少してしまう。また、リンク部材ではなく、可動アーム部から回動軸方向の内側に突出させた凸形状のストッパ部を設けることが考えられる。この場合、凸形状のストッパ部の可動範囲が回路基板の配置スペースを減少させるため、結果的に撮像装置の大型化につながる可能性がある。
本発明の目的は、ポップアップ式の内蔵フラッシュ付き撮像装置において、可動アーム部の強度及び剛性の低下を抑えつつ、省スペース化を実現することである。
【課題を解決するための手段】
【０００７】
本発明に係る装置は、発光部が装置本体部から突出する発光位置と、装置本体部に収納される収納位置に移動可能な撮像装置であって、回動軸を保持するベース部材と、前記発光部を覆うホルダ部材とを備え、前記ホルダ部材は、前記回動軸を中心として回動する可動アーム部を有する。該可動アーム部は前記発光位置において前記装置本体部の外装カバーとの干渉を回避する切り欠き部と、前記ベース部材の一部と当接することで前記発光位置にて前記発光部の位置決めを行うストッパ面部を有しており、前記ストッパ面部は、前記切り欠き部の谷部に近接して位置する。
【発明の効果】
【０００８】
本発明によれば、ポップアップ式の内蔵フラッシュ付き撮像装置において、可動アーム部の強度及び剛性の低下を抑えつつ、省スペース化を実現できる。
【図面の簡単な説明】
【０００９】
【図１】本発明の第１実施形態に係るフラッシュユニットを示す上面図（Ａ）及びＤ−Ｄ断面図（Ｂ）である。
【図２】図１のフラッシュユニットのポップアップ状態を示す断面図である。
【図３】フラッシュ収納状態のカメラ本体部を背面から見た場合の斜視図である。
【図４】フラッシュユニットの構成を示す斜視図である。
【図５】フラッシュユニットの分解斜視図である。
【図６】フラッシュカバーを取り除いたフラッシュユニットの動きを説明する図である。
【図７】ホルダ部材の斜視図である。
【図８】ホルダ部材の上面図である。
【図９】フラッシュユニットの上面図（Ａ）及びＣ−Ｃ断面図（Ｂ）である。
【図１０】本発明の第２実施形態に係るフラッシュユニットを示す図である。
【図１１】第２実施形態に係るフラッシュユニットの構成を説明する図である。
【図１２】図１１のフラッシュ発光部の分解斜視図である。
【図１３】従来例のフラッシュユニットを説明する図である。
【発明を実施するための形態】
【００１０】
以下に、本発明の各実施形態を、添付図面に基づいて詳細に説明する。
［第１実施形態］
図１及び図２は、本発明の第１実施形態に係るフラッシュユニットを示す。図３はカメラ本体部を示し、図４（Ａ）はフラッシュユニットの収納状態での斜視図、図４（Ｂ）及び（Ｃ）はフラッシュユニットのポップアップ状態での斜視図である。以下では被写体側を前面側とし、フラッシュユニットが配置される側を上面側と定義して各部の位置関係を説明する。
【００１１】
図３に示すカメラ本体部１は、撮影画像を得る為のレンズ部２を備える。シャッタボタン３はカメラ本体部１の上面に配置され、ユーザの操作によって撮影が開始する。外装カバー４は内部構造物を保護する。カメラ本体部１はポップアップ構造のフラッシュ発光部１０を備える。フラッシュカバー５はフラッシュ発光部１０を覆うカバー部材である。
フラッシュ発光部１０はフラッシュカバー５により保護され、図４（Ｂ）及び（Ｃ）に示すポップアップ状態で、撮影時に露出不足を補うために発光する。カメラ本体部１の背面には複数の操作部材７が配置されており、撮影に関する各種設定や画像表示内容の変更等を行う際にユーザが使用する。画像表示部８は画像情報等を表示する。
【００１２】
次に図１から図９を参照して、回動式のポップアップ構造について説明する。図５はフラッシュユニット６の分解斜視図である。
フラッシュ発光部１０を保持するホルダ部材１１は、ポップアップ状態でフラッシュ発光部１０が発光する第１の位置（発光位置）と、フラッシュユニット６が装置本体部に収納された第２の位置（収納位置）とに亘って回動により移動可能である。ホルダ部材１１は可動アーム部を備える。本実施形態では、回動軸穴部１１ａをそれぞれ有する一対のアーム部１１ｃ（図８参照）が設けられている。
【００１３】
撮像装置本体部に固定されるベース部材１２は、一対の回動軸穴部１２ａを備える。回動軸を構成する回動シャフト１３は、ホルダ部材１１の回動軸穴部１１ａとベース部材１２の回動軸穴部１２ａに挿入されて、ホルダ部材１１を回動自在に支持する。フラッシュ回路基板１４は、後述するリード線でフラッシュ発光部１０と結線される。またフラッシュ回路基板１４は、撮影及びフラッシュ発光等の制御を行う制御基板（不図示）にリード線で結線されている。
【００１４】
トグルバネ１５は、フラッシュユニット６の収納状態での閉じ方向への付勢と、ポップアップ状態での開き方向への付勢を行う弾性部材である。トグルバネ１５はコイル部１５ｃと、その両端にリング形状部１５ａ，１５ｂを有する。ホルダ側のリング形状部１５ａは、ホルダ部材１１のボス１１ｄに挿入される。ガイドシャフトビス１６は先端のネジ山部１６ａと根元の摺動軸部１６ｂを有する。トグルバネ１５にてガイドシャフト側のリング形状部１５ｂには、ベース部材１２にネジ止めされて固定されたガイドシャフトビス１６の摺動軸部１６ｂが挿入される。２つのリング形状部１５ａと１５ｂは、常に離れる方向の力が発生するように組み込まれている。
【００１５】
図６を参照して、フラッシュユニット６の収納状態とポップアップ状態について説明する。図６はフラッシュユニット６のフラッシュカバー５を取り除いた状態で示す側面図である。図６（Ａ）は収納状態を示し、図６（Ｂ）はトグルバネ１５の釣り合い位置での状態を示す。図６（Ｃ）はポップアップ状態を示している。
【００１６】
回動シャフト１３とガイドシャフトビス１６はベース部材１２に固定されている。このため、これらの部材は側面から見て常に変わらない位置であり、ホルダ部材１１の一部であるボス１１ｄが回動シャフト１３を中心に回動可能である。前述したように、トグルバネ１５によってガイドシャフトビス１６とボス１１ｄには常に離れる方向の力が働くので、フラッシュユニット６は、収納状態では閉じ方向に付勢され、ポップアップ状態では開き方向に付勢される。トグルバネ１５を用いることで、発光位置と収納位置を安定させることができる。
【００１７】
図６（Ｂ）では、回動シャフト１３とガイドシャフトビス１６（リング形状部１５ｂへの挿入部）とリング形状部１５ａとが一直線上に並んでいる。この状態は、ホルダ部材１１に回転力が働かない釣り合いの状態である。開閉動作において、図６（Ｂ）で示すトグルバネ１５の力の釣り合い位置を超えるまでユーザがフラッシュユニット６を動かすと、自動的にトグルバネ１５の力が働くので操作性が向上する。ただし、トグルバネ１５はホルダ部材１１のアーム部１１ｃに配置する必要がある。そのため、図６（Ｃ）の点線枠１５ｃで示す範囲にトグルバネ１５の移動スペースを確保する必要が生じる。
【００１８】
ホルダ部材１１のアーム部１１ｃはそれぞれ、凹形状の切り欠き部１１ｅを有する。これは、ポップアップ状態にてアーム部１１ｃが外装カバー４と干渉しないようにするためである。図４（Ｂ）及び（Ｃ）は、切り欠き部１１ｅを設けたことにより、ポップアップ状態でアーム部１１ｃと外装カバー４との干渉を回避している様子を示している。切り欠き部１１ｅは非露出面部１１ｅ１と、露出面部１１ｅ２と、谷部１１ｅ３を有する。非露出面部１１ｅ１はポップアップ時に外観に露出しない部分であり、露出面部１１ｅ２はポップアップ時に外観に露出する部分である。谷部１１ｅ３は、非露出面部１１ｅ１と露出面部１１ｅ２との間に位置する凹部である。
【００１９】
以上のように切り欠き部１１ｅとトグルバネ１５の移動スペースが必要である。更には、側面から見てストッパ部をアーム部の外側に付設する場合には、カメラ本体部の大型化を招く可能性がある。そこで本実施形態では、ストッパ部を、側面から見てアーム部１１ｃの投影外形の内部に設け、トグルバネ１５の広い可動範囲の裏側（回動軸方向にてトグルバネ１５とは反対側）を利用して配置することで、省スペース化を実現している。以下、ストッパ構造の詳細について、図１及び図７を参照して説明する。
【００２０】
図７はホルダ部材１１を示し、図７（Ａ）は後方から見た場合の斜視図である。図７（Ｂ）は、ホルダ部材１１を図７（Ａ）とは異なる方向から見た場合の斜視図である。図８はホルダ部材１１の上面図である。ストッパ面部１１ｆは、ポップアップ状態にて所定の発光位置でホルダ部材１１を停止させる役目をもつ。ストッパ面部１１ｆは、一対のアーム部１１ｃにて互いに対向する内側面にそれぞれ付設されている。摺動面部１１ｈは回動シャフト１３の軸受け部１１ｂの一部であり、ベース部材１２の側面と当接することによりフラッシュユニット６の左右方向のガタを規制する。
【００２１】
図１はフラッシュユニット６を示し、図１（Ａ）は収納状態での上面図、図１（Ｂ）は収納状態でのＤ−Ｄ断面図（図１（Ａ）のＤ−Ｄ線参照）である。図２はポップアップ状態でのＤ−Ｄ断面図である。
【００２２】
ストッパ受け部１２ｂはベース部材１２の側面にて凸形状で配置されている（図５参照）。図１（Ｂ）に示す状態では、ストッパ面部１１ｆとストッパ受け部１２ｂとが離間しており、両者は当接していない。図２に示すポップアップ位置では、ストッパ面部１１ｆとストッパ受け部１２ｂが当接している。これにより、フラッシュユニット６はフラッシュ発光部１０の発光位置で停止して位置決めされる。
【００２３】
次に、切り欠き部１１ｅの補強構造について説明する。
図１（Ｂ）及び図２に示す立ち壁面部１１ｇは、ストッパ面部１１ｆからフラッシュカバー５に向かって、連続的につながる部分（囲繞部）である。ストッパ面部１１ｆは、切り欠き部１１ｅの非露出面部１１ｅ１と略平行に延在する。立ち壁面部１１ｇは、露出面部１１ｅ２と略平行に延びている。連続的につながるストッパ面部１１ｆと立ち壁面部１１ｇは、切り欠き部１１ｅを囲むようにして形成されている。こうすることで、切り欠き部１１ｅの強度不足や剛性低下を補うことができる。
【００２４】
次にストッパ部の配置について説明する。
ストッパ受け部１２ｂは、ポップアップ状態でホルダ部材１１とベース部材１２とが当接可能な範囲において、回動中心から最も遠く、フラッシュ発光部１０寄りに位置している。これにより、フラッシュ発光部１０とストッパ面部１１ｆとの距離ｄ（図２参照）が短くなり、かつその中間に切り欠き部１１ｅが位置しない。このため、図２の矢印Ｆで示すように、ポップアップ状態でフラッシュ発光部１０が押された際に、切り欠き部１１ｅやストッパ受け部１２ｂにかかるストレスを軽減できる。また、ホルダ部材１１に形成した谷部１１ｅ３は、ポップアップの際、外装カバー４に最も近く、かつ、非露出面部１１ｅ１の回動中心から遠い部分に相当する。このため、切り欠き部１１ｅやストッパ部のストレスを軽減するという観点から、ストッパ面部１１ｆは谷部１１ｅ３に近接して配置されている。
【００２５】
また、図８に示すように、ストッパ面部１１ｆは、アーム部１１ｃの幅Ｂ内に形成されている。幅Ｂは回動シャフト１３の軸方向におけるアーム部１１ｃの長さである。ストッパ面部１１ｆをそれぞれ、アーム部１１ｃの幅内に収めることで、一対のアーム部１１ｃの内側に回路基板の配置スペースを確保することができる。
【００２６】
図９（Ａ）はフラッシュユニット６の上面図であり、図９（Ｂ）はＣ−Ｃ断面図である（図９（Ａ）のＣ−Ｃ線参照）。
ベース部材１２のストッパ受け部１２ｂはそれぞれ、外側に突出した凸形状の先端部１２ｂ１を有する。これらの先端部１２ｂ１は、図７に示すホルダ部材１１のガタ規制面部１１ｋと近接しており、軸受け部１１ｂの周辺の摺動面部１１ｈとともに左右方向のガタを規制する。前述したように、ストッパ受け部１２ｂはポップアップ動作の際、常にホルダ部材１１と近接した位置にある。このため、ポップアップ状態および収納状態にてガタ規制が可能であって、かつ開閉動作中も連続してガタ規制が可能である。よって、移動途中での部材の引っ掛かりの問題を回避し、スムーズな開閉動作が行われる。またストッパ受け部１２ｂは、ホルダ部材１１とベース部材１２とが近接する範囲の中で回動中心から最も遠くに位置しているため、フラッシュユニット先端の左右方向のガタつきを抑える上で効果的である。
【００２７】
本実施形態によれば、撮像装置本体部の外表面に露出しない部分を有する可動アーム部の強度及び剛性の低下を抑えつつ、小型化が可能なポップアップ式フラッシュ付きの撮像装置を実現できる。
【００２８】
［第２実施形態］
次に本発明の第２実施形態を説明する。本実施形態では、ポップアップ式フラッシュを備える撮像装置において、安全性を高めたリード線の保持構造を説明する。
【００２９】
フラッシュ発光部は、充電されたメインコンデンサによってキセノン管の内部電極に高電圧を印加した状態で、撮影操作に連動して外部トリガー電極に電圧をかけてキセノン管内のキセノンガスを放電させる。この時の閃光によって被写体が照射される。メインコンデンサは、十分な光量を得るために大容量の電荷を蓄積している。よって、感電防止に十分配慮した構造が要求される。つまり、高電圧部からユーザが触れられる部分までの沿面距離を十分にとることが必要である。ポップアップの際、フラッシュ発光部は照射レンズの内側にキセノン管が配置された状態で移動する。キセノン管からメインコンデンサに結線された高電圧のリード線は、ホルダ部材の側面を通って装置本体部へとつながっており、ポップアップ状態では、高電圧のリード線が外装表面の近くに移動することになる。可動アーム部のうち、切り欠かれて細くなった部分は特に、沿面距離を長くとることが難しい。以下では、沿面距離を十分に確保しつつ、撮像装置本体部の小型化を実現するための対策を説明する。なお、本実施形態において、第１実施形態の場合と同様の構成要素については既に使用した符号を用いることにより、それらの詳細な説明を省略する。
【００３０】
図１０から図１２を参照して、フラッシュユニット６の構造について説明する。図１１（Ａ）はフラッシュユニット６の斜視図であり、図１１（Ｂ）はフラッシュカバー５を外した状態のフラッシュユニット６を示す斜視図である。図１２はフラッシュ発光部１０の分解斜視図である。
【００３１】
フラッシュユニット６は、フラッシュ発光部１０を保持するホルダ部材１１と、撮像装置本体部に取り付けられるベース部材１２を備える。ホルダ部材１１は一対のアーム部１１ｃを有し、金属製の回動シャフト１３が挿入されている。ホルダ部材１１は、回動シャフト１３を中心として回動し、フラッシュ発光部１０を発光位置と収納位置に亘って移動させる。ホルダ部材１１の各アーム部１１ｃは、切り欠き部１１ｅがそれぞれ設けられており、ポップアップ状態で外装カバー４との干渉が回避される。フラッシュユニット６が収納状態のときには、アーム部１１ｃが撮像装置の内部に隠蔽されるので、すっきりとした外観を呈する。
【００３２】
次に、図１２を参照して、フラッシュ発光部１０とその周辺の構成について説明する。
キセノン管１６は、キセノン（Ｘｅ）ガスを封入したガラス管の両極に電圧をかけてキセノンガスをイオン化させて放電させることで発光する。キセノン管１６は、その両端に陽極端子１６ａと陰極端子１６ｂをそれぞれ有する。Ｘｅ（＋）リード線２０は陽極端子１６ａに結線され、Ｘｅ（−）リード線２１は陰極端子１６ｂに結線されている。複数のシリコーンゴム１５はキセノン管１６を保持する部材である。シリコーンゴム１５はリング形状をしており、キセノン管１６の陽極端子１６ａと陰極端子１６ｂの内側にそれぞれ装着される。リフレクタ１４は、キセノン管１６で発光した光を被写体側へ反射させるための金属製の反射部材である。リフレクタ１４はキセノン管１６に接触して組み込まれており、トリガー電極としての役割を果たす。トリガーコイル１９（図１１（Ｂ）参照）は、トリガー電極（リフレクタ１４）に高電圧を印可する。延長部１４ａはリフレクタ１４の一部であり、トリガーコイル１９に対してリード線で結線されている。
【００３３】
Ｘｅ（＋）リード線２０は、不図示のメインコンデンサの陽極につながっており、キセノン管１６の両極端子は高い電位差が生じた状態である。メインコンデンサは、発光の為に大容量の電荷を蓄積するアルミニウム電解コンデンサである。暗所等での撮影時に、ユーザがシャッタボタン３を押下すると同時にトリガーコイル１９からリフレクタ１４に電圧がかかる。キセノン管１６内のキセノンガスがイオン化し、キセノン管１６内で放電が起こり、発光する仕組みとなっている。
【００３４】
ＴＲＧ（＋）リード線２２（図１１（Ｂ）参照）はトリガーコイル１９の（＋）端子（陽極端子）に結線された配線部材である。ＴＲＧ（−）リード線２３はトリガーコイル１９の（−）端子（陰極端子）に結線された配線部材である。これらのリード線２２，２３は、フラッシュ回路基板１４に結線されている。Ｘｅ（＋）リード線２０及びＸｅ（−）リード線２１と、ＴＲＧ（＋）リード線２２及びＴＲＧ（−）リード線２３はフラッシュ発光部１０から引き廻されて、フラッシュユニット６の回動中心部付近から撮像装置本体部へと繋がっている。以下に、リード線の引き廻し方法について、図１０を参照して説明する。
【００３５】
図１０（Ａ）は、点線で示すフラッシュカバー５を透視してフラッシュユニット６を示す側面図であり、ポップアップ状態を示す。図１０（Ｂ）は、切り欠き部１１ｅのＡ−Ａ断面図である（図１０（Ａ）のＡ−Ａ線参照）。
【００３６】
ホルダ部材１１は、その側面部にてリード線保持用のボス１１ｄ１，１１ｄ２を複数備える（図７（Ａ）参照）。複数のボス１１ｄ１，１１ｄ２は、リード線の太さとほぼ同じ間隔で並んでおり、それぞれリード線を挟持している。アーム部１１ｃは側面から見たときの外形に沿って図１０の紙面に垂直な方向に、上側壁面部１１ｍ１と下側壁面部１１ｍ２を有する。上側壁面部１１ｍ１と下側壁面部１１ｍ２は、側面部１１ｍ３とともにリード線をコの字状に囲んでいる。
【００３７】
切り欠き部１１ｅの付近ではアーム部１１ｃが細くなっているため、図１０（Ａ）に示すように側面から見た場合、４本のリード線のうち、内側の２本のリード線２０，２２が重なった状態で引き廻されている。この重なった２本のリード線２０，２２は、ホルダ部材１１の側面部１１ｍ３に形成した突起部である、リブ１１ｉ１と１１ｉ２によって挟持される。図１０（Ｂ）に示すように、４本のリード線は、上側壁面部１１ｍ１、下側壁面部１１ｍ２、側面部１１ｍ３と、フラッシュカバー５のアーム部側の側面部５ａとで囲まれている。側面から見て重なっている２本のリード線、つまり、Ｘｅ（＋）リード線２０とＴＲＧ（＋）リード線２２は、リブ１１ｉ１と１１ｉ２、側面部１１ｍ３で囲まれ、側面部１１ｍ３の側（奥側）にＸｅ（＋）リード線２０が寄せて配置されている。これは、上述したようにＸｅ（＋）リード線２０には高電圧がかかっているため、感電に対する安全性を考慮した場合、外部との沿面距離を長くとる必要があることに依る。
【００３８】
点線１８ａ、１８ｂは、外部からＸｅ（＋）リード線２０までの沿面距離を算出する場合の経路を示す。これらは、Ｘｅ（＋）リード線２０から外部へスパークする際の電流の経路を示している。合わせ部１１ｎ１，１１ｎ２は、ホルダ部材１１とフラッシュカバー５とが当接する突き合わせ部分を示している。合わせ部１１ｎ１，１１ｎ２は、ポップアップの際にユーザが触れる可能性がある部分の中で、高電圧のリード線に最も近い部分である。
【００３９】
ＴＲＧ（＋）リード線２２は、Ｘｅ（−）リード線２１やＴＲＧ（−）リード線２３に比べて、Ｘｅ（＋）リード線２０との電位差が小さい。このため、リード線の被覆が仮に破損してショートしたとしても被害が少ない配置となっている。ＴＲＧ（＋）リード線２２は、Ｘｅ（＋）リード線２０よりもフラッシュカバー５側に位置する。
【００４０】
また、Ｘｅ（−）リード線２１やＴＲＧ（−）リード線２３は、Ｘｅ（＋）リード線２０に比べて高電圧がかかっている訳ではないが、回路部品が破損した場合、Ｘｅ（＋）リード線２０と同様に高電圧がかかる可能性がある。そのため、外部との沿面距離を考慮して、Ｘｅ（＋）リード線２０の次に沿面距離を長くとる必要がある。Ｘｅ（−）リード線２１やＴＲＧ（−）リード線２３は、重なった２本のリード線２０，２２とは別の通路にて、それぞれ側面部１１ｍ３に寄せて配置される。つまり、Ｘｅ（−）リード線２１は、上側壁面部１１ｍ１とリブ１１ｉ１と側面部１１ｍ３によってとり囲まれており、ＴＲＧ（−）リード線２３は、下側壁面部１１ｍ２とリブ１１ｉ２と側面部１１ｍ３によってとり囲まれている。このように、可動アーム部のうちで細い部分において外部との沿面距離を取りにくい箇所でも、各リード線にかかる電位を考慮して引き廻しを工夫することにより、安全性を高めることができる。
【００４１】
本実施形態では、複数の壁面部により形成される、断面形状がコの字状をした部分をカバー部材で閉塞した空間に配線部材を配置した構造において、外部との沿面距離を充分に確保することができる。よって、本実施形態によれば、撮像装置の大型化を回避しつつ、安全性を高めたリード線の保持構造を実現できる。
【符号の説明】
【００４２】
１‥‥‥‥カメラ本体部
４‥‥‥‥外装カバー
６‥‥‥‥フラッシュユニット
１０‥‥‥フラッシュ発光部
１１‥‥‥ホルダ部材
１１ｅ‥‥切り欠き部
１１ｆ‥‥ストッパ面部
１２‥‥‥ベース部材
１２ｂ‥‥ストッパ受け部
１３‥‥‥回動シャフト
１５‥‥‥トグルバネ
【図１】
2016020985.tif 000003
【図２】
2016020985.tif 000004
【図３】
2016020985.tif 000005
【図４】
2016020985.tif 000006
【図５】
2016020985.tif 000007
【図６】
2016020985.tif 000008
【図７】
2016020985.tif 000009
【図８】
2016020985.tif 000010
【図９】
2016020985.tif 000011
【図１０】
2016020985.tif 000012
【図１１】
2016020985.tif 000013
【図１２】
2016020985.tif 000014
【図１３】
2016020985.tif 000015